(57)【要約】【課題】高いマッサージ効果を与えることができるマッサージ装置を提供する。【解決手段】使用者の足が挿入される足入れ部３を有する本体２と、足入れ部３の周囲に配されたエアバッグ４とを有し、エアバッグ４に圧縮空気を供給して膨張させることにより足入れ部３に挿入された足を押圧するためのマッサージ装置１であって、エアバッグ４は、足入れ部３に挿入された足のつま先をすね側に近づける向きに押圧する第１のエアバッグ９と、足入れ部３に挿入された足のかかとを保持するように左右の両側から押圧する第２のエアバッグ１０とを含んでいる。【選択図】図３
0003188361.tif 000002
【実用新案登録請求の範囲】
【請求項１】
使用者の足が挿入される足入れ部を有する本体と、前記足入れ部の周囲に配されたエアバッグとを有し、前記エアバッグに圧縮空気を供給して膨張させることにより前記足入れ部に挿入された足を押圧するためのマッサージ装置であって、
前記エアバッグは、前記足入れ部に挿入された足のつま先をすね側に近づける向きに押圧する第１のエアバッグと、前記足入れ部に挿入された足のかかとを保持するように左右の両側から押圧する第２のエアバッグとを含むことを特徴とするマッサージ装置
【請求項２】
前記第１のエアバッグは、前記足入れ部に挿入された足の裏側かつつま先側に配されている請求項１記載のマッサージ装置。
【請求項３】
前記第１のエアバッグの膨張量は、前記足入れ部に挿入された足のかかと側からつま先側に向かって漸増している請求項２記載のマッサージ装置。
【請求項４】
前記第２のエアバッグを膨張させて使用者の足のかかとを保持した後、前記第１のエアバッグを膨張させて使用者の足をストレッチ状態にする動作パターンを有している請求項１乃至３のいずれかに記載のマッサージ装置。
【請求項５】
前記エアバッグは、前記足入れ部に挿入された足の土踏まずを足の裏側から押圧する第３のエアバッグを含む請求項１乃至４のいずれかに記載のマッサージ装置。
【請求項６】
前記エアバッグは、前記足入れ部に挿入された足の脹ら脛を少なくとも左右の両側から押圧する第４のエアバッグを含む請求項１乃至５のいずれかに記載のマッサージ装置。
【請求項７】
前記エアバッグは、前記足入れ部に挿入された足の甲を押圧する第５のエアバッグを含む請求項１乃至６のいずれかに記載のマッサージ装置。
【請求項８】
少なくとも１つの前記エアバッグは、前記足入れ部に挿入された足に面する外表面に、突部が形成されている請求項１乃至７のいずれかに記載のマッサージ装置。
【請求項９】
前記足入れ部の空間と前記エアバッグとの間には、取り外し可能に布状カバーが配されている請求項１乃至８のいずれかに記載のマッサージ装置。
【請求項１０】
前記本体は、箱状のケーシングを含み、
前記ケーシングは、上面に前記足入れ部に足を挿入するための足入れ口を有している請求項１乃至９のいずれかに記載のマッサージ装置。
【請求項１１】
前記ケーシングの上面は、開閉可能なカバーで閉じられている請求項１０記載のマッサージ装置。
【考案の詳細な説明】
【技術分野】
【０００１】
本考案は、使用者の足を押圧して血行等を促進させるマッサージ装置に関する。
【背景技術】
【０００２】
従来、使用者の足をマッサージするマッサージ装置が提案されている（例えば、下記特許文献１参照）。この種のマッサージ装置は、使用者の足が挿入される足入れ部を有する本体と、足入れ部の周囲に配されたエアバッグを有している。エアバッグは、圧縮空気が供給されて膨張することにより、例えば、使用者の脹ら脛、かかと、足横や土踏まず等をそれぞれ押圧するエアバッグを含んでいる。
【先行技術文献】
【特許文献】
【０００３】
【特許文献１】特開２０１２−２００３６１号公報
【考案の概要】
【考案が解決しようとする課題】
【０００４】
上記のマッサージ装置は、使用者が足を足入れ部に挿入した状態で、使用者の足の各部位をエアバッグで単に押圧することにより、使用者の足の血行等を促進させ、マッサージ効果を与えることができる。しかしながら、近年、使用者には、より高いマッサージ効果が得られるマッサージ装置が求められている。
【０００５】
本考案は、以上のような実状に鑑み案出されたもので、高いマッサージ効果を与えることができるマッサージ装置を提供することを目的とする。
【課題を解決するための手段】
【０００６】
本考案は、使用者の足が挿入される足入れ部を有する本体と、前記足入れ部の周囲に配されたエアバッグとを有し、前記エアバッグに圧縮空気を供給して膨張させることにより前記足入れ部に挿入された足を押圧するためのマッサージ装置であって、前記エアバッグは、前記足入れ部に挿入された足のつま先をすね側に近づける向きに押圧する第１のエアバッグと、前記足入れ部に挿入された足のかかとを保持するように左右の両側から押圧する第２のエアバッグとを含むことを特徴とする。
【０００７】
本考案に係る前記マッサージ装置は、前記第１のエアバッグが、前記足入れ部に挿入された足の裏側かつつま先側に配されているのが望ましい。
【０００８】
本考案に係る前記マッサージ装置は、前記第１のエアバッグの膨張量が、前記足入れ部に挿入された足のかかと側からつま先側に向かって漸増しているのが望ましい。
【０００９】
本考案に係る前記マッサージ装置は、前記第２のエアバッグを膨張させて使用者の足のかかとを保持した後、前記第１のエアバッグを膨張させて使用者の足をストレッチ状態にする動作パターンを有しているのが望ましい。
【００１０】
本考案に係る前記マッサージ装置は、前記エアバッグが、前記足入れ部に挿入された足の土踏まずを足の裏側から押圧する第３のエアバッグを含むのが望ましい。
【００１１】
本考案に係る前記マッサージ装置は、前記エアバッグが、前記足入れ部に挿入された足の脹ら脛を少なくとも左右の両側から押圧する第４のエアバッグを含むのが望ましい。
【００１２】
本考案に係る前記マッサージ装置は、前記エアバッグが、前記足入れ部に挿入された足の甲を押圧するのが望ましい。
【００１３】
本考案に係る前記マッサージ装置は、少なくとも１つの前記エアバッグには、前記足入れ部に挿入された足に面する外表面に、突部が形成されているのが望ましい。
【００１４】
本考案に係る前記マッサージ装置は、前記足入れ部の空間と前記エアバッグとの間に、取り外し可能に布状カバーが配されているのが望ましい。
【００１５】
本考案に係る前記マッサージ装置は、前記本体が、箱状のケーシングを含み、前記ケーシングが、上面に前記足入れ部に足を挿入するための足入れ口を有しているのが望ましい。
【００１６】
本考案に係る前記マッサージ装置は、前記ケーシングの上面が、開閉可能なカバーで閉じられているのが望ましい。
【考案の効果】
【００１７】
本考案のマッサージ装置は、足入れ部の周囲に配されたエアバッグが、足入れ部に挿入された足のつま先をすね側に近づける向きに押圧する第１のエアバッグと、足入れ部に挿入された足のかかとを保持するように左右の両側から押圧する第２のエアバッグとを含んでいる。本考案のマッサージ装置では、第１のエアバッグの膨張に伴って、足入れ部に挿入された使用者の足のつま先をすね側に近づけ、使用者の足を、アキレス腱及び足裏がのびた所謂ストレッチ状態にできる。このため、ストレッチにより使用者の足の血行等を促進させ、使用者に優れたマッサージ効果を与えることができる。
【００１８】
また、本考案のマッサージ装置では、使用者の足をストレッチ状態にする際、第１のエアバッグが膨張する以前に、第２のエアバッグが膨張することにより、使用者の足のかかとを第２のエアバッグで保持した状態で、使用者の足を第１のエアバッグでストレッチしうる。このため、第１のエアバッグの膨張に伴い使用者の足が移動されることが抑制され、かつ、アキレス腱及び足裏を全体的にストレッチしうる。
【００１９】
しかも、本考案のマッサージ装置の他の実施形態では、ストレッチ状態にある使用者の足の各部位を、エアバッグで押圧することによりマッサージすることができる。この場合、ストレッチによるマッサージ効果と、押圧によるマッサージ効果との相乗効果により、使用者の足の血行等をより一層促進させ、使用者に、より高いマッサージ効果を与えることができる。
【図面の簡単な説明】
【００２０】
【図１】本考案の一実施形態を示すマッサージ装置の斜視図である。
【図２】図１のマッサージ装置の平面図である。
【図３】図１のマッサージ装置の内部構造を示す斜視図である。
【図４】図３のマッサージ装置の平面図である。
【図５】図４のマッサージ装置のＡ−Ａ矢視図である。
【図６】第１のエアバッグの膨張時の側面図である。
【図７】エアバッグの膨張時の側面図である。
【考案を実施するための形態】
【００２１】
以下、本考案の実施の一形態が図面に基づき説明される。
図１には、本実施形態のマッサージ装置１の斜視図、図２には、それを上面から見た平面図、図３には、内部構造を示す斜視図がそれぞれ示されている。本実施形態のマッサージ装置１は、使用者の足をマッサージするために好適に用いられる。本実施形態のマッサージ装置１は、例えば、持ち運びが可能であり、床面に載置されて使用される。但し、本考案のマッサージ装置１は、このような形態に限定されるものではなく、例えば、椅子等の着座部と一体に構成されても良い。
【００２２】
図１〜３に示されるように、マッサージ装置１は、使用者の足が挿入される足入れ部３を有する本体２と、足入れ部３の周囲に配されたエアバッグ４とを有している。このようなマッサージ装置１では、エアバッグ４に圧縮空気を供給して膨張させることにより、足入れ部３に挿入された足をエアバッグ４で押圧することができる。
【００２３】
本実施形態の足入れ部３は、例えば、左右一対の空間３ａ、３ａを含んでいる。このようなマッサージ装置１では、足入れ部３に挿入された使用者の両足を同時にマッサージすることができる。
【００２４】
図３に示されるように、本実施形態の本体２は、箱状のケーシング７を含んでいる。本実施形態のケーシング７は、例えば、床面側となる底板７ａ、底板７ａに配された前板７ｂ、後板７ｃ及び一対の側板７ｄ、７ｄを含んでいる。ここで、足要れ部３に挿入された足のつま先側を前方、かかと側を後方とする。
【００２５】
前板７ｂは、例えば、底板７ａのつま先側の先端部に沿って配され、ケーシング７の前面を形成している。後板７ｃは、例えば、底板７ａのかかと側の後端部に沿って配され、ケーシング７の後面を形成している。各側板７ｄは、例えば、底板７ａの左右いずれかの側端部に沿って配され、前板７ｂと後板７ｃの一端又は他端を連結し、ケーシング７の側面を形成している。但し、本考案のケーシング７の形状は、箱状であればよく、このような形態に限定されるものではない。
【００２６】
本実施形態の本体２は、例えば、足入れ部３に挿入された使用者の足を支持する一対の支持部８、８を含んでいる。支持部８は、例えば、それぞれ板状の第１支持部８ａ、第２支持部８ｂ及び第３支持部８ｃを含んでいる。
【００２７】
本実施形態の支持部８は、第１支持部８ａと第２支持部８ｂとが、長手方向の一端が互いに連結され、側面視略L字状に配されている。また、本実施形態の支持部８は、第３支持部８ｃが、第１支持部８ａ及び第２支持部８ｂの中央側の側面にのみ連結されている。
【００２８】
本実施形態の各支持部８は、例えば、それぞれケーシング７に固着されている。より具体的には、各支持部８は、第３支持部８ｃが連結されていない第１支持部８ａ及び第２支持部８ｂの外側の側面が側板７ｄに支持されている。これにより本実施形態では、使用者の左右の足に応じ、前板７ｂ、側板７ｄ、第１支持部８ａ、第２支持部８ｂ及び第３支持部８ｃにより空間３ａが区分されている。
【００２９】
本実施形態の支持部８は、第１支持部８ａのつま先側の先端が、底板７ａとの間に間隔を設けて前板７ｂに支持されている。本実施形態の支持部８は、第１支持部８ａと第２支持部８ｂとの屈曲部が、後板７ｃとの間に間隔を設けて底板７ａに支持されている。本実施形態の支持部８は、第２支持部８ｂの先端が、後板７ｃの上側端部に支持されている。このような支持部８では、第１支持部８ａ及び第２支持部８ｂが床面に対して傾斜し、第１支持部８ａにより使用者の足の裏を支持し、第２支持部８ｂにより使用者の脹ら脛を支持することがでる。このため支持部８は、使用者の足に作用する自重を足の裏と脹ら脛とに分散し、使用者の負担を軽減することができる。
【００３０】
本実施形態のエアバッグ４は、袋状であり、圧縮空気の供給により膨張し、圧縮空気の排出により収縮する。
【００３１】
図４には、図３のマッサージ装置１の平面図が示されている。図３又は図４に示されるように、エアバッグ４は、足入れ部３に挿入された足のつま先をすね側に近づける向きに押圧する第１のエアバッグ９と、足のかかとを保持するように左右の両側から押圧する第２のエアバッグ１０とを含んでいる。
【００３２】
図５には、図４のＡ−Ａ矢視図が示されている。図５に示されるように、第１のエアバッグ９は、例えば、足入れ部３に挿入された足の裏側かつつま先側に配されている。第１のエアバッグ９は、例えば、第１支持部８ａの上面に固着されている。
【００３３】
図６には、第１のエアバッグ９の膨張時の側面図が示されている。図６に示されるように、第１のエアバッグ９は、例えば、圧縮空気が供給された際の膨張量が、足のかかと側からつま先側に向かって漸増しているのが望ましい。このような第１のエアバッグ９によれば、足入れ部３に挿入された足全体を持ち上げることなく、足のつま先を足首（踝）の関節廻りで、すね側に傾動させることができる。
【００３４】
本実施形態の第１のエアバッグ９は、例えば、中央の膨張量が大きな略円盤状のエアバッグを、同心に複数個、本実施形態では３個重ね、かつ、径方向外側の一端部を連結することにより形成されている。但し、第１のエアバッグ９は、このような態様に限定されるものではなく、圧縮空気の供給に伴い前板７ｂ側の前面及び前面の両端に連なる両側面が伸長可能であり、例えば、蛇腹構造の前面及び両側面とを有する構成であってもよい。
【００３５】
図３又は図４に示されるように、第２のエアバッグ１０は、例えば、側板７ｄから第２支持部８ｂを介して第３支持部８ｃに跨る平面視略Ｕ字状に形成されている。第２のエアバッグ１０は、例えば、図４の一方側に示されるように膨張し、足のかかとを保持するように左右の両側、さらには後側から押圧することができる。
【００３６】
本実施形態のマッサージ装置１では、第１のエアバッグ９の膨張に伴って、足入れ部３に挿入された使用者の足のつま先をすね側に近づけ、使用者の足を、アキレス腱及び足裏がのびた所謂ストレッチ状態にできる。このため、ストレッチにより使用者の足の血行等を促進させ、使用者に、優れたマッサージ効果を与えることができる。
【００３７】
本実施形態のマッサージ装置１では、使用者の足をストレッチ状態にする際、第１のエアバッグ９が膨張する以前に、第２のエアバッグ１０が膨張することにより、使用者の足のかかとを第２のエアバッグ１０で保持した状態で、使用者の足を第１のエアバッグ９でストレッチしうる。このため、第１のエアバッグ９の膨張に伴い使用者の足が移動されることが抑制される。また、第２のエアバッグ１０が足のかかとを保持することにより、アキレス腱及び足裏を固定するように押圧することなく、使用者の足を全体的にストレッチしうる。なお、第１のエアバッグ９によりストレッチ状態とする際、例えば、足の脹ら脛の下部を保持するように押圧するエアバッグでは、アキレス腱が前記エアバッグにより固定され、アキレス腱が伸び難いおそれがある。
【００３８】
本実施形態のマッサージ装置１では、第１のエアバッグ９によりストレッチ状態にある使用者の足の各部位を、第１のエアバッグ４を除く他のエアバッグ４で押圧することによりマッサージすることができる。この場合、上記ストレッチによるマッサージ効果と、押圧によるマッサージ効果との相乗効果により、使用者の足の血行等をより一層促進させ、使用者により高いマッサージ効果を与えることができる。
【００３９】
図３又は図４に示されるように、本実施形態のエアバッグ４は、例えば、第３のエアバッグ１１と、第４のエアバッグ１２と、第５のエアバッグ１３とをさらに含んでいる。但し、これらは本考案の任意的要素である。
【００４０】
第３のエアバッグ１１は、例えば、略円盤状に形成され、第１支持部８ａの上面に配されている。第３のエアバッグ１１は、その膨張に伴って足入れ部３に挿入された足の裏側から土踏まずを押圧し、土踏まずの血行等を促進させることができる。
【００４１】
本実施形態の第３のエアバッグ１１は、その一部が第１のエアバッグ９に重ねて配されている。このため、第３のエアバッグ１１は、ストレッチ状態にある足の土踏まずを押圧することができ、土踏まずの血行等をより一層促進させることができる。
【００４２】
第４のエアバッグ１２は、膨張に伴って足入れ部３に挿入された足の脹ら脛を押圧し、脹ら脛の血行等を促進させることができる。
【００４３】
本実施形態の第４のエアバッグ１２は、例えば、一対の脹ら脛上側用のエアバッグ１２ａ、１２ａと、一対の脹ら脛下側用のエアバッグ１２ｂ、１２ｂと、脹ら脛後側用のエアバッグ１２ｃとを含んでいる。脹ら脛上側用のエアバッグ１２ａは、例えば、側板７ｄ及び第３支持部８ｃの上部後側に配されている。脹ら脛下側用のエアバッグ１２ｂは、側板７ｄ及び第３支持部８ｃの下部後側に配されている。脹ら脛後側用のエアバッグ１２ｃは、第２支持部８ｂに配されている。このような第４のエアバッグ１２によれば、各エアバッグ１２ａ、１２ｂ、１２ｃの膨張に伴い、ストレッチ状態にある足の脹ら脛をより一層好適に押圧することができ、脹ら脛の血行等をより一層促進させることができる。
【００４４】
第５のエアバッグ１３は、例えば、側板７ｄ及び第３支持部８ｃの下部前側に配された一対の足の甲用のエアバッグ１３ａ、１３ａを含んでいる。このような第５のエアバッグ１３は、足入れ部３に挿入された足の甲を押圧することができる。
【００４５】
本実施形態の第５のエアバッグ１３は、第１のエアバッグ９の膨張量よりも大きな上下方向の幅を有するものであるのが望ましい。このような第５のエアバッグ１３によれば、ストレッチ状態にある足の甲を両側から押圧することができ、使用者の足の甲の血行等をより一層促進させることができる。
【００４６】
本実施形態の少なくとも１つのエアバッグ４は、例えば、足入れ部３に挿入された足に面する外表面に形成された凸部４ａを有している。本実施形態では、凸部４ａが、例えば、第２のエアバッグ１０及び第３のエアバッグ１１の外表面の一部に形成されている。
【００４７】
本実施形態の凸部４ａは、例えば、滑らかな表面を有するゴム等の弾性体であるのが望ましい。このような凸部４ａは、各エアバッグ４の膨張に伴い、足入れ部３に挿入された使用者の足に接して刺激することができる。このため、エアバッグ４の押圧によるマッサージ効果と、凸部４ａの刺激によるマッサージ効果との相乗効果により、使用者により一層効果的なマッサージ効果を与えることができる。
【００４８】
図４に示されるように、本実施形態のマッサージ装置１は、例えば、エアバッグ４に圧縮空気を供給する供給手段５を有している。供給手段５は、例えば、底板７ａの第３支持部８ｃ、８ｃの間に配された電動機５ａと、電動機５ａに連結された空気圧縮機５ｂとを含んでいる。このような供給手段５によれば、電動機５ａの作動に伴い空気圧縮機５ｂにて空気が圧縮され、圧縮空気がエアバッグ４に供給される。なお、本実施形態の供給手段５は、空気圧縮機５ｂとエアバッグ４とを繋ぐホース（図示省略）をさらに含んでいる。該ホースは、例えば、底板７ａと第１支持部８ａとの間及び後板７ｃと第２支持部８ｂとの間に配されている。
【００４９】
図２又は図４に示されるように、本実施形態の供給手段５は、例えば、電動機５ａの動作を制御する制御部５ｃと、電動機５ａに外部の電源から電力を供給する電源コード（図示省略）とをさらに含んでいる。制御部５ｃは、例えば、左右の第３支持部８ｃ、８ｃに配されている。制御部５ｃの上面には、複数の操作ボタンが配されている。本実施形態の電動機５ａは、制御部５ｃの操作ボタンが使用者に操作されることにより、予め設定された複数の動作パターンに応じて作動する。
【００５０】
本実施形態のマッサージ装置１では、例えば、使用者が足入れ部３に足を挿入し、制御部５ｃの操作ボタンを操作することにより、予め設定された動作パターンが組み合わされたマッサージが開始される。
【００５１】
図６に示されるように、本実施形態のマッサージ装置１は、例えば、第２のエアバッグ１０を膨張させて使用者の足のかかとを保持した後、第１のエアバッグ９を膨張させて使用者の足をストレッチ状態にする動作パターンを含むのが望ましい。このようなマッサージ装置１の動作パターンによれば、ストレッチによる使用者の足の移動を抑制しつつ、ストレッチにより使用者の足の血行等をより促進させ、使用者にマッサージ効果を与えることができる。
【００５２】
図７には、エアバッグ４の膨張時の側面図が示されている。図７に示されるように、本実施形態のマッサージ装置１は、例えば、第１のエアバッグ９によりストレッチ状態にある使用者の足の各部位を、第２のエアバッグ１０、第３のエアバッグ１１、第４のエアバッグ１２及び第５のエアバッグ１３により、同時に又は順に押圧する動作パターンを含むのが望ましい。このようなマッサージ装置１の動作パターンによれば、ストレッチによるマッサージ効果と押圧によるマッサージ効果との相乗効果により、使用者の足の血行等をより一層促進させ、使用者により高いマッサージ効果を与えることができる。
【００５３】
また、本実施形態のマッサージ装置１は、例えば、第１のエアバッグ９の膨張と収縮とを繰り返し、使用者の足をストレッチしてマッサージ効果を与える動作パターンや、第１のエアバッグ９を膨張させることなく、第２〜第５のエアバッグ１０〜１３により、同時に又は順に使用者の足の各部位を押圧してマッサージ効果を与える動作パターンを含むものであってもよい。
【００５４】
図１又は図２に示されるように、本実施形態のマッサージ装置１は、例えば、足入れ部３の空間３ａとエアバッグ４との間に配された取り外し可能な布状カバー１５を具えるのが望ましい。
【００５５】
本実施形態のマッサージ装置１は、足入れ部３の各空間３ａを覆う布状カバー１５と、ケーシング７の外表面を覆う布状カバー本体１６とを含んでいる。布状カバー１５は、例えば、ファスナー等により布状カバー本体１６に連結され、取り外し可能に設けられている。このような布状カバー１５は、マッサージ装置１から取り外し、例えば、洗濯することが可能であり、マッサージ装置１を清潔に保つのに役立つ。
【００５６】
本実施形態のマッサージ装置１の本体２は、例えば、ケーシング７の上面を開閉可能なカバー１８を含んでいる。カバー１８は、例えば、板状に形成されている。このようなカバー１８は、マッサージ装置１が使用されない場合、ケーシング７の上面を閉じることで、足入れ部３に埃等のゴミが進入することを防止するのに役立つ。また、カバー１８は、マッサージ装置１が使用されない場合、ケーシング７の上面を閉じることで、マッサージ装置１を椅子やフットレストとして利用可能にする。
【００５７】
以上、本考案の特に好ましい実施形態について詳述したが、本考案は図示の実施形態に限定されることなく、種々の態様に変形して実施しうる。
【符号の説明】
【００５８】
１    マッサージ装置
２    本体
３    足入れ部
４    エアバッグ
９    第１のエアバッグ
【図１】
0003188361.tif 000003
【図２】
0003188361.tif 000004
【図３】
0003188361.tif 000005
【図４】
0003188361.tif 000006
【図５】
0003188361.tif 000007
【図６】
0003188361.tif 000008
【図７】
0003188361.tif 000009